(57)【要約】【課題】取り外された浴室カウンターがあるときに、利用者にとって浴室カウンターの取付箇所が分かりやすい浴室カウンターの取付構造を提供する。【解決手段】浴室カウンターの取付構造は、浴室の壁面１０３ａに設けられたブラケット３と、ブラケット３に対して着脱可能に設けられ、物品を載置可能な載置面４１ｕを有する浴室カウンター１と、を備え、ブラケット３は、浴室カウンター１を保持する保持部３２を有し、浴室カウンター１は、保持部３２に保持される被保持部４３を有し、被保持部４３の態様は、浴室カウンター１の他の部分４４の態様とは異なり、保持部３２の少なくとも一部３４ａの態様と被保持部４３の態様とは、同一であることを特徴とする。【選択図】図３
2020130712.tif 000002
【特許請求の範囲】
【請求項１】
浴室の壁面に設けられたブラケットと、
該ブラケットに対して着脱可能に設けられ、物品を載置可能な載置面を有する浴室カウンターと、を備え、
前記ブラケットは、前記浴室カウンターを保持する保持部を有し、
前記浴室カウンターは、前記保持部に保持される被保持部を有し、
前記被保持部の態様は、前記浴室カウンターの他の部分の態様とは異なり、
前記保持部の少なくとも一部の態様と前記被保持部の態様とは、同一であることを特徴とする浴室カウンターの取付構造。
【請求項２】
前記保持部の少なくとも一部の態様は、前記ブラケットの他の部分の態様とは異なっている請求項１に記載の浴室カウンターの取付構造。
【請求項３】
前記保持部の少なくとも一部と前記被保持部とが同一である前記態様は、色調であることを特徴とする請求項１または２に記載の浴室カウンターの取付構造。
【請求項４】
前記浴室カウンターは、前記載置面が上方を向く使用状態として前記ブラケットに保持されるとともに、前記使用状態から取り外されて前記載置面が前記壁面に沿う収納状態として前記ブラケットに保持され、
前記浴室カウンターは、前記収納状態において、前記保持部に保持される収納被保持部を有し、
前記被保持部は、前記収納被保持部である請求項１から３のいずれか一項に記載の浴室カウンターの取付構造。
【請求項５】
前記浴室カウンターは、前記載置面が上方を向く使用状態において、前記保持部に保持される使用被保持部を有し、
前記被保持部は、前記使用被保持部である請求項１から３のいずれか一項に記載の浴室カウンターの取付構造。
【発明の詳細な説明】
【技術分野】
【０００１】
本発明は、浴室カウンターの取付構造に関する。
【背景技術】
【０００２】
従来から、浴室内の壁面には、石鹸、洗面器等、浴室で使用する物品を載置するカウンターが取り付けられている。例えば、シャワーや蛇口等の吐水装置の下方にカウンターが設けられ、カウンター上に石鹸、シャンプー、洗面器等を載置して使用する場合がある。
【０００３】
このような浴室カウンターとして、浴室カウンター及びその周辺の清掃を行いやすくするために、浴室の壁面から着脱可能なカウンターが提案されている（例えば、特許文献１参照）。特許文献１のカウンターは、壁面に設けられたブラケットに着脱可能に設けられ、ブラケットからカウンターを取り外すと、清掃を容易に行える。
【先行技術文献】
【特許文献】
【０００４】
【特許文献１】特開２０１８−５１１１９号公報
【発明の概要】
【発明が解決しようとする課題】
【０００５】
しかしながら、上記の浴室カウンターでは、利用者が、取り外されたカウンターを見て、カウンターを取り付ける箇所を直感的に分からなかったりするという問題点がある。
【０００６】
そこで、本発明は、上記事情に鑑みてなされたものであり、取り外された浴室カウンターがあるときに、利用者にとって浴室カウンターの取付箇所が分かりやすい浴室カウンターの取付構造を提供する。
【課題を解決するための手段】
【０００７】
上記目的を達成するために、本発明は以下の手段を採用している。
すなわち、本発明に係る浴室カウンターの取付構造は、浴室の壁面に設けられたブラケットと、該ブラケットに対して着脱可能に設けられ、物品を載置可能な載置面を有する浴室カウンターと、を備え、前記ブラケットは、前記浴室カウンターを保持する保持部を有し、前記浴室カウンターは、前記保持部に保持される被保持部を有し、前記保持部の態様は、前記ブラケットの他の部分の態様とは異なり、前記被保持部の態様は、前記浴室カウンターの他の部分の態様とは異なり、前記保持部の態様と前記被保持部の態様とは、同一であることを特徴とする。
【０００８】
このように構成された浴室カウンターの取付構造では、被保持部は浴室カウンターの他の部分と態様が異なっているため、浴室カウンターの中で被保持部を区別しやすい。また、保持部の少なくとも一部の態様と被保持部の態様とは同一であるため、利用者は保持部と被保持部との間に関連性があると考えて、被保持部を保持部に保持させればよいと直感的に判断しやすい。よって、取り外された浴室カウンターがあるときに、利用者にとって浴室カウンターの取付箇所が分かりやすい。
【０００９】
また、本発明に係る浴室カウンターの取付構造では、前記保持部の少なくとも一部の態様は、前記ブラケットの他の部分の態様とは異なっていることが好ましい。
【００１０】
このように構成された浴室カウンターの取付構造では、浴室カウンターの被保持部を保持する保持部の少なくとも一部はブラケットの他の部分と態様が異なっているため、ブラケットの中で保持部を区別しやすい。
【００１１】
また、本発明に係る浴室カウンターの取付構造では、前記保持部の少なくとも一部と前記被保持部とが同一である前記態様は、色調であることが好ましい。
【００１２】
このように構成された浴室カウンターの取付構造では、保持部の少なくとも一部の色調と被保持部の色調とは同一であるため、浴室カウンターの取付箇所を利用者は視覚的に判断することができる。
【００１３】
また、本発明に係る浴室カウンターの取付構造では、前記浴室カウンターは、前記載置面が上方を向く使用状態として前記ブラケットに保持されるとともに、前記使用状態から取り外されて前記載置面が前記壁面に沿う収納状態として前記ブラケットに保持され、前記浴室カウンターは、前記収納状態において、前記保持部に保持される収納被保持部を有し、前記被保持部は、前記収納被保持部であってもよい。
【００１４】
このように構成された浴室カウンターの取付構造では、浴室カウンターが取り外された状態において、利用者は収納被保持部を保持部に取り付けて浴室カウンターを収納状態に取り付けると判断することができる。
【００１５】
また、本発明に係る浴室カウンターの取付構造では、前記浴室カウンターは、前記載置面が上方を向く使用状態において、前記保持部に保持される使用被保持部を有し、前記被保持部は、前記使用被保持部であってもよい。
【００１６】
このように構成された浴室カウンターの取付構造では、浴室カウンターが取り外された状態において、利用者は使用被保持部を保持部に取り付けて浴室カウンターを使用状態に取り付けると判断することができる。
【発明の効果】
【００１７】
本発明に係る浴室カウンターの取付構造によれば、取り外された浴室カウンターがあるときに、利用者にとって浴室カウンターの取付箇所が分かりやすい着脱可能であると判断しやすい。
【図面の簡単な説明】
【００１８】
【図１】本発明の一実施形態に係る浴室カウンターの取付構造を備える浴室ユニットにおいて、浴室カウンターの使用状態を示す斜視図である。
【図２】本発明の一実施形態に係る浴室カウンターの取付構造を備える浴室ユニットにおいて、浴室カウンターの収納状態を示す斜視図である。
【図３】本発明の一実施形態に係る浴室カウンターが収納状態に配置される直前の状態を示す斜視図である。
【図４】本発明の一実施形態の変形例１に係る浴室カウンターが収納状態に配置される直前の状態を示す斜視図である。
【図５】本発明の一実施形態の変形例２に係る浴室カウンターが使用状態に配置される直前の状態を示す斜視図である。
【図６】本発明の一実施形態の変形例２に係る浴室カウンターの使用状態における縦断面図である。
【発明を実施するための形態】
【００１９】
以下、本発明の一実施形態に係る浴室カウンターの取付構造について説明する。本実施形態では、浴室カウンターの一例として、浴室カウンターを例に挙げて説明する。
図１及び図２は、本実施形態に係る浴室カウンターの取付構造２０を備える浴室ユニット１００の斜視図である。図１は、浴室カウンター１の使用状態を示す図であり、図２は浴室カウンター１の収納状態を示す図である。
【００２０】
図１及び図２に示すように、浴室カウンター１は、浴室空間ＢＲの第一壁部１０３に設けられたブラケット３（図２参照。以下同じ。）に着脱可能に設けられている。本実施形態に係る浴室カウンターの取付構造２０は、図２に示すように、第一壁部１０３の壁面１０３ａに沿って収納されるように取り付けられる取付構造である。以下では、浴室ユニット１００を例に挙げて説明するが、浴室カウンター１は浴室ユニット１００に限らず、在来工法により施工された浴室においても適用可能である。また、本実施形態の浴室カウンター１は、小物収納の棚板等にも適用可能である。
【００２１】
図１に示すように、浴室ユニット１００は、建物の躯体内にフレームとパネルとを用いて、床、壁、天井及び浴槽等を組み立てて設置される。浴室ユニット１００内に形成される浴室空間ＢＲには外枠形状が平面視で略長方形の浴槽１０１と、平面視略矩形であり、浴槽１０１と壁との間の床部を構成する洗い場１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００２２】
本実施形態では、浴室ユニット１００の複数の壁部のうち、シャワー器具１０９、水栓１１０、シャワーホルダ１０７が設けられた壁を第一壁部１０３と称する。また、浴槽１０１のエプロン１０５の表面は、第一壁部１０３と直交して配置されている。
【００２３】
以下の説明において、第一壁部１０３の壁面１０３ａに沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、利用者が第一壁部１０３に向かって立つ場合の左右をそれぞれ左側、右側と称する。本実施形態では、幅方向の左側に浴槽１０１が配置され、右側に洗い場１０２が配置されている。
【００２４】
図１及び図２に示すように、浴室カウンター（以下、「カウンター」と記載する。）１は、第一壁部１０３に取り付けられたブラケット３に対して着脱可能に構成されている。本実施形態では、第一壁部１０３の水栓１１０の下方、かつ、洗い場１０２の床面から上方に離間した位置に、カウンター１が取り付けられる。
【００２５】
第一壁部１０３に対して着脱可能なカウンター１をブラケット３から取り外した際に、図２に示すようにカウンター１を収納することできる。図１に示すように、天板部４１の載置面４１ｕを上方に向けて配置してブラケット３に支持された状態をカウンター１の使用状態と称する。使用状態では、天板部４１は、第一壁部１０３からに略水平方向に突出して配置される。一方、図２に示すように、カウンター１の天板部４１の載置面４１ｕが手前側を向くように、第一壁部１０３の壁面１０３ａに沿って配置されて保持される状態を収納状態と称する。
【００２６】
次に、カウンター１の構成について、使用状態の配置に基づき説明する。
図１に示すように、カウンター１は、平板状の部材である。カウンター１は、使用状態において上側に配置される天板部材４と、下側に配置される底板部材５と、を有している。カウンター１は、天板部材４と底板部材５とが接合されて構成されている。天板部材４および底板部材５は、それぞれ樹脂材料により形成されている。
【００２７】
天板部材４において、使用状態における上面は、物品を載置可能な載置面４１ｕとされている。
【００２８】
使用状態における上方から見ると、カウンター１は、幅方向に長い略長方形をなしている。カウンター１には、厚さ方向（使用状態における上下方向）に貫通する係合孔（被保持部、収納被保持部）４３が形成されている。
【００２９】
係合孔４３は、カウンター１の２つの長辺端部４１ａ，４１ｂのうち、使用状態における手前側に位置する長辺端部４１ｂの近傍であって、長辺端部４１ｂよりも奥側に配置されている。係合孔４３は、天板部４１の幅方向の略中央に配置されている。
【００３０】
図３は、カウンター１が収納状態に配置される直前の状態を示す斜視図である。図３では、カウンター１における色調の違いをドットの有無で示している。
図３に示すように、カウンター１において、係合孔４３の内周面４３ａの色調（態様）は、カウンター１の他の部分４４の色調（態様）とは異なっている。本実施形態では、係合孔４３の内周面４３ａの色調は青色であり、カウンター１の他の部分４４の色調は白色である。なお、載置面４１ｕにおける内周面４３ａの縁部分（二点鎖線参照）４３ｂも、内周面４３ａと同一色調であってもよい。また、係合孔４３の内周面４３ａの色調は、他の部分４４と異なっていれば、青色に限られず適宜設定可能である。
【００３１】
次に、ブラケット３の構成について説明する。
ブラケット３は、ベース体３１と、アーム体（保持部）３２と、を有している。ブラケット３は、不図示の金属部材により第一壁部１０３に固定され、樹脂製のカバー部材により金属部材が覆われている。
【００３２】
ベース体３１は、金属部材を覆っている。ベース体３１は、幅方向に長尺な部材であり、奥行方向から見て、幅方向に長い略長方形をなしている。
【００３３】
アーム体３２は、平面視略Ｕ字形状をなしている。アーム体３２は、ベース体３１から手前側に向かって略水平方向に突出して設けられている。
【００３４】
アーム体３２は、一対の基部３３と、バー３４と、を有している。一対の基部３３は、幅方向に離間して配置されている。各基部３３は、ベース体３１の手前側の面３１ａから手前側に突出している。バー３４は、各基部３３の手前側の端部間に架設されている。バー３４は、幅方向に延びている。バー３４は、ベース体３１の面３１ａと略平行に配置されている。バー３４の手前側の端面３４ａは長楕円形状をなしている。バー３４の端面３４ａの正面視形状は、係合孔４３の正面視形状と略同一の形状をなしている。
【００３５】
ブラケット３において、バー３４の端面３４ａの色調（態様）は、バー３４の他の部分３６の色調（態様）及びベース体３１の色調（態様）とは異なっていて、且つカウンター１の係合孔４３の内周面４３ａの色調（態様）と同一である。本実施形態では、バー３４の端面３４ａの色調は青色であり、バー３４の他の部分３６及びベース体３１の色調は白色である。なお、バー３４全体が、ベース体３１と異なる色調であってもよい。また、バー３４の端面３４ａの色調は、青色に限られず適宜設定可能である。
【００３６】
図２に示すように、収納状態では、ブラケット３のアーム体３２にカウンター１の係合孔４３が係合され、保持されている。収納状態で保持する際には、図３に示すように、利用者は、長辺端部４１ｂが上側となり、天板部材４が手前側を向くようにカウンター１を配置して、カウンター１を奥側に移動させて、カウンター１の係合孔４３内にアーム体３２を挿入するようにする。
【００３７】
図１に示す使用状態では、ブラケット３のアーム体３２に、カウンター１の底板部材５に設けられた係合部（不図示）が係合され、保持されている。
【００３８】
このように構成された浴室ユニット１００では、カウンター１の係合孔４３を保持するアーム体３２の端面３４ａはブラケット３の他の部分と色調が異なっているため、ブラケット３の中でアーム体３２を区別しやすい。また、係合孔４３の内周面４３ａはカウンター１の他の部分と色調が異なっているため、カウンター１の中で係合孔４３を区別しやすい。また、アーム体３２の端面３４ａの色調と係合孔４３の内周面４３ａの色調とは同一であるため、利用者はアーム体３２と係合孔４３との間に関連性があると考えて、係合孔４３をアーム体３２に保持させればよいと直感的に判断しやすい。よって、取り外されたカウンター１があるときに、利用者にとってカウンター１の取付箇所が分かりやすい。
【００３９】
また、アーム体３２の端面３４ａの色調と係合孔４３の内周面４３ａの色調とは同一であるため、カウンター１の取付箇所を利用者は視覚的に判断することができる。
【００４０】
また、カウンター１が収納された収納状態において、浴室カウンターが取り外された状態において、利用者は係合孔４３をアーム体３２に取り付けてカウンター１を収納状態に取り付けると判断することができる。
【００４１】
（変形例１）
次に、発明の一実施形態の変形例１に係る浴室カウンターを備えた浴室ユニットについて、主に図４を用いて説明する。
下記に示す変形例の説明において、前述した部材と同一の部材には同一の符号を付して、その説明を省略する。
図４は、本発明の一実施形態の変形例１に係る浴室カウンターが収納状態に配置される直前の状態を示す斜視図である。
【００４２】
図４に示すように、本変形例の浴室ユニット１００Ａでは、アーム体３２の端面３４ａの色調、係合孔４３の内周面４３ａの色調、水栓１１０の上面１１０ｕの手前側の部分１１０ａの色調及びシャワー器具１０９の吐水面１０９ａが、同一色調であり、本変形例では青色とされている。
【００４３】
水栓１１０の上面１１０ｕの手前側の部分１１０ａの色調は、水栓１１０の他の部分１１０ｂの色調と異なっている。シャワー器具１０９の吐水面１０９ａの色調は、シャワー器具１０９の他の部分１０９ｂの色調と異なっている。
【００４４】
このように構成された浴室ユニット１００Ａでは、カウンター１の係合孔４３を保持するアーム体３２の端面３４ａはブラケット３の他の部分と色調が異なっているため、ブラケット３の中でアーム体３２を区別しやすい。また、係合孔４３の内周面４３ａはカウンター１の他の部分と色調が異なっているため、カウンター１の中で係合孔４３を区別しやすい。また、アーム体３２の端面３４ａの色調と係合孔４３の内周面４３ａの色調とは同一であるため、利用者はアーム体３２と係合孔４３との間に関連性があると考えて、係合孔４３をアーム体３２に保持させればよいと直感的に判断しやすい。よって、取り外されたカウンター１があるときに、利用者にとってカウンター１の取付箇所が分かりやすい。
【００４５】
また、アーム体３２の端面３４ａ、係合孔４３の内周面４３ａ、水栓１１０の上面１１０ｕの手前側の部分１１０ａ及びシャワー器具１０９の吐水面１０９ａを同一色調とすることで、これらの色調がアクセントとなり、デザイン性を高めることができる。
【００４６】
（変形例２）
次に、発明の一実施形態の変形例２に係る浴室カウンターを備えた浴室ユニットについて、主に図５及び図６を用いて説明する。
図５は、本発明の一実施形態の変形例２に係る浴室カウンターが使用状態に配置される直前の状態を示す斜視図である。図６は、本発明の一実施形態の変形例２に係る浴室カウンターの使用状態における奥行方向且つ鉛直方向に沿う断面図である。
図５及び図６に示すように、本変形例の浴室ユニット１００Ｂでは、第一壁部１０３には、一対のブラケット（保持部）３Ｂが設けられている。ブラケット３Ｂに、カウンター１Ｂが着脱可能に設けられている。以下のブラケット３Ｂ及びカウンター１Ｂの説明では、カウンター１Ｂの上面（載置面）１２ｕが上方を向く使用状態の配置に基づき説明する。
【００４７】
一対のブラケット３Ｂは、幅方向に離間して設けられている。各ブラケット３Ｂは、第一壁部１０３にねじ込まれた螺子部３７と、第一壁部１０３の壁面１０３ａに沿って配置された係合頭部３８と、を有している。
【００４８】
係合頭部３８は、大きさの異なる円柱３８ｄ，３８ｅが奥行方向に連設された形状をなしている。手前側の円柱３８ｄの方が、奥側の円柱３８ｅよりも大きい。係合頭部３８における壁面１０３ａよりも手前側の配置されている外周面３８ａの色調は、螺子部３７の色調及び係合頭部３８における奥側の面の色調とは異なっている。
【００４９】
カウンター１Ｂは、カウンター本体１１と、一対のフック（被保持部、使用被保持部）２１と、を有している。カウンター本体１１は、平板状に形成された平板部１２を有している。平板部１２の上面１２ｕが上方を向くように、カウンター１Ｂは使用状態として設置可能とされている。
【００５０】
カウンター本体１１は、平板部１２の奥側の部分から下方に垂下する係合壁部１３を有している。係合壁部１３の上部には、手前側に突出する係合片１４が設けられている。
【００５１】
一対のフック２１は、幅方向に離間して配置されている。各フック２１は、係合軸部２２と、垂下面部２３と、第一折曲面部２４と、第二折曲面部２５と、を有している。
【００５２】
係合軸部２２は、円柱状をなし、幅方向に延びている。係合軸部２２は、カウンター１Ｂの平板部１２、係合壁部１３及び係合片１４により形成される空間内に係合されている。
【００５３】
垂下面部２３は、係合軸部２２から下方に延びている。垂下面部２３は、板状に形成されている。垂下面部２３は、板厚方向を奥行方向に向けて配置されている。
【００５４】
第一折曲面部２４は、垂下面部２３の下端部から奥側に延びている。第一折曲面部２４の奥側の端部には、上方に突出する係合片２４ａが設けられている。係合片２４ａは、ブラケット３Ｂの係合頭部３８の円柱３８ｄ，３８ｅの境界部の下端部に係合されている。
【００５５】
第一折曲面部２４の幅方向の中央且つ手前側には、上下方向に貫通する貫通孔２４ｈが形成されている。
【００５６】
第二折曲面部２５は、垂下面部２３の下端部から奥側に延びている。第二折曲面部２５は、第一折曲面部２４の貫通孔２４ｈ内に配置されている。第二折曲面部２５の奥側の端部には、上方に突出する係合片２５ａが設けられている。係合片２５ａは、カウンター本体１１の係合壁部１３の下端部に係合されている。
【００５７】
フック２１の色調は、カウンター本体１１の色調とは異なっていて、且つブラケット３Ｂの係合頭部３８の外周面３８ａの色調と同一である。
【００５８】
このように構成された浴室ユニット１００Ｂでは、フック２１はカウンター本体１１と色調が異なっているため、カウンター１Ｂの中でフック２１を区別しやすい。また、係合頭部３８の外周面３８ａの色調とフック２１の色調とは同一であるため、利用者は係合頭部３８とフック２１との間に関連性があると考えて、フック２１を係合頭部３８に保持させればよいと直感的に判断しやすい。よって、取り外されたカウンター１Ｂがあるときに、利用者にとってカウンター１Ｂの取付箇所が分かりやすい。
【００５９】
また、カウンター１Ｂが取り外された状態において、利用者はフック２１を係合頭部３８取り付けてカウンター１Ｂを使用状態に取り付けると判断することができる。
【００６０】
上記のように、第一壁部１０３に設けられたブラケット３Ｂがカウンター本体１１に設けられたフック２１の係合片２４ａを保持することで、カウンター１Ｂはブラケット３Ｂに使用状態として取り付けられている。
【００６１】
なお、本発明に係る浴室ユニット１００は、上述した実施形態に限定されるものではなく、本発明の要旨を逸脱しない範囲で適宜の変更や置換等が可能である。
【００６２】
例えば、上記に示す実施形態では、アーム体３２の端面３４ａと係合孔４３の内周面４３ａとは、態様として色調が同一であるが、本発明はこれに限られない。保持部と被保持部とで同一である態様としては、他にも表面粗さや、材質、肌触り等であってもよい。
【００６３】
また、上記に示す実施形態では、ブラケット３のうちバー３４の端面３４ａがカウンター１の係合孔４３の内周面４３ａと同一の色調とされているが、本発明はこれに限られない。ブラケット３全体がウンター１の係合孔４３の内周面４３ａと同一の色調とされていてもよい。
【符号の説明】
【００６４】
１…浴室カウンター（カウンター）
３…ブラケット
４…天板部材
２０…浴室カウンターの取付構造
３１…ベース体
３２…アーム体（保持部）
４３…係合孔（被保持部、収納被保持部）
５…底板部材
１００…浴室ユニット
【図１】
2020130712.tif 000003
【図２】
2020130712.tif 000004
【図３】
2020130712.tif 000005
【図４】
2020130712.tif 000006
【図５】
2020130712.tif 000007
【図６】
2020130712.tif 000008